(57)【要約】  【課題】  毛ブラシ全体を床面に当ててその床面を強く擦ることのできアタッチメントを提供する。【解決手段】 掃除機本体の集塵室に連通される集塵ホースの先端部または延長管１４の先端部に後部が着脱自在に接続される風路管２１と、この風路管２１の先端部の外周囲を囲むように配置された毛ブラシ３３を有し且つその風路管２１に対して傾動自在に設けられたブラシ体３０とを備えたアタッチメント２０であって、ブラシ体３０を風路管２１に対して所定角度傾けた際に、風路管２１を手元側に引いたとき、ブラシ体３０を風路管２１にロックし、このロック状態から風路管２１を前方へ移動させると、そのロックを解除するロック機構を設けた。【選択図】  図５
2005329009.tif 000002
【特許請求の範囲】
【請求項１】
掃除機本体の集塵室に連通される集塵ホースの先端部または延長管の先端部に後部が着脱自在に接続される風路管と、この風路管の先端部の外周囲を囲むように配置されたブラシを有し且つその風路管に対して傾動自在に設けられたブラシ体とを備えたアタッチメントであって、
前記ブラシ体を前記風路管に対して所定角度傾けた際に、前記風路管を手元側に引いたとき、前記ブラシ体をロックし、このロック状態から前記風路管を前方へ移動させると、そのロックを解除するロック手段を設けたことを特徴とするアタッチメント。
【請求項２】
請求項１に記載のアタッチメントを備えていることを特徴とする電気掃除機。
【発明の詳細な説明】
【技術分野】
【０００１】
この発明は、例えば延長管の先端部に着脱自在に接続されるアタッチメントと、このアタッチメントを備えている電気掃除機とに関する。
【背景技術】
【０００２】
従来から、図１３に示すアタッチメントが知られている（特許文献１参照）。
【０００３】
かかるアタッチメントは、図示しない延長管の先端部に着脱自在に接続される風路管１の先端部にブラシ体２を回動自在に設けたものである。ブラシ体２は軸３回りに回動自在となっており、スプリング４によって反時計回りに付勢されている。この付勢により、風路管１を前後（図１３において、左右方向）に移動させた際に風路管１と床面Ｙとのなす角度が変化しても、ブラシ体２の全ての毛ブラシ５の先端５ａが常に床面Ｙに当接するようになっている。
【特許文献１】特開２０００−２７９３５２号公報
【発明の開示】
【発明が解決しようとする課題】
【０００４】
しかしながら、このようなアタッチメントにあっては、毛ブラシ５を床面Ｙに強く押し当ててその床面Ｙを前後に擦すると、風路管１を手元側（図１３において右方向）に引いたとき、右端にある毛ブラシ５′の先端部５ａ′に左方向に強い力が加わり、ブラシ体２がスプリング４の付勢力に抗して時計回りに回動してしまう。このため、左端にある毛ブラシ５の先端部５ａが床面Ｙから浮き上がってしまい、毛ブラシ全体を床面に当てた状態でその床面を強く擦ることができないという問題があった。
【０００５】
この発明の目的は、毛ブラシ全体を床面に当ててその床面を強く擦ることのできるアタッチメントを提供することにある。
【課題を解決するための手段】
【０００６】
上記目的を達成するため、請求項１の発明は、掃除機本体の集塵室に連通される集塵ホースの先端部または延長管の先端部に後部が着脱自在に接続される風路管と、この風路管の先端部の外周囲を囲むように配置されたブラシを有し且つその風路管に対して傾動自在に設けられたブラシ体とを備えたアタッチメントであって、
前記ブラシ体を前記風路管に対して所定角度傾けた際に、前記風路管を手元側に引いたとき、前記ブラシ体をロックし、このロック状態から前記風路管を前方へ移動させると、そのロックを解除するロック手段を設けたことを特徴とする。
【発明の効果】
【０００７】
この発明によれば、床面にブラシ体の毛ブラシを強く当ててアタッチメントを前後に移動させても、ブラシ体の前後側の毛ブラシの先端部が床面から浮き上がることがなく、毛ブラシ全体を床面に押し当てて擦り付けることができる。
【発明を実施するための最良の形態】
【０００８】
以下、この発明に係るアタッチメントと、このアタッチメントを備えた電気掃除機の実施例を図面に基づいて説明する。
【実施例】
【０００９】
［第１実施例］
図１に示す電気掃除機１０は、掃除機本体１１と、この掃除機本体１１の接続口１０Ａに一端が着脱自在に接続されその他端には手元操作管１３が設けられている集塵ホース１２と、手元操作管１３に着脱自在に接続した延長管１４と、延長管１４の先端部に着脱自在に接続されたアタッチメント２０と、このアタッチメント２０の先端部に着脱自在に接続された吸込口体４０とを備えている。
【００１０】
電気掃除機本体１１内には、集塵室１５を負圧にする電動送風機１７が設けられており、集塵室１５には集塵フィルタ１６が着脱可能に装着されている。
【００１１】
手元操作管１３には操作部１３Ａが設けられており、この操作部１３Ａには操作スイッチ１３ａが設けられている。
【００１２】
吸込口体４０には、その底面に塵埃を吸引する図示しない吸込開口（塵埃吸込口）を形成した吸込室（図示せず）が形成されており、この吸込室はアタッチメント２０,延長管１４および集塵ホース１２を介して掃除機本体１１内に設けた集塵室１５に連通している。
【００１３】
そして、図２に示すように、延長管１４の先端部に接続したアタッチメント２０から吸込口体４０を取り外せば、アタッチメント２０を左右方向（前後方向）に移動させることにより、被清掃面上の塵埃を吸引する補助用の吸込口体として使用することができる。また、図３に示すように、そのアタッチメント２０に吸込口体４０を接続すれば、吸込口体４０の吸込開口（図示せず）から塵埃を吸引することができるようになっている。
【００１４】
この吸込口体４０は、前後方向に回動する回動管部４１を後部に有しており、この回動管部４１には、吸込口体４０の吸込室（図示せず）に連通した図示しない回動管と、上方（図３において）へ突出した係止爪Ｋと、上方へ突出した一対の給電用の端子ピンＰ１,Ｐ２とが設けられている。
【００１５】
係止爪Ｋは、上記回動管とアタッチメント２０の風路管２１との接続をロックするものであり、延長管１０をほぼ９０度起立させた状態で前方へ傾けていくと、回動管部４１に設けたボタン４２が吸込口体４０の突出部４３の後端に当接して押されて、係止爪Ｋによるロックが解除される。そして、延長管１４を上方に引っ張ることにより、アタッチメント２０から吸込口体４０が外れるようになっている。
【００１６】
アタッチメント２０は、図４および図５に示すように、延長管１４の先端部に接続される風路管２１と、この風路管２１の先端部に回動自在に取り付けられたブラシ体３０とを備えている。
【００１７】
風路管２１の先端部の両側壁部２１Ａ,２１Ｂの外側面には、図６に示すように、相対向する位置に軸受凹部２２Ａ,２２Ｂと、軸受凹部２２Ａ,２２Ｂを中心にした円弧状のガイド溝２３Ａ,２３Ｂとが形成されており、このガイド溝２３Ａ,２３Ｂの下端（図６において左端）には外側に凹む凹部２４ａ,２４ｂが形成されている。また、軸受凹部２２Ａ,２２Ｂはこの凹部２４ａ,２４ｂの凹む方向に延びる小判形の形状となっている。
【００１８】
また、風路管２１の側方（図６において上部）には、ケーシング部２５が形成され、このケーシング部２５内には一対の給電用の雌コネクタ（図示せず）と、係止爪Ｋ（図３参照）に係止する係止部（図示せず）とが設けられている。ケーシング部２５の底壁部２６には、係止爪Ｋが挿入される穴Ｈ１と、端子ピンＰ１,Ｐ２が挿入される孔Ｈ２,Ｈ３とが設けられている。
【００１９】
そして、吸込口体４０の係止爪Ｋをアタッチメント２０の穴Ｈ１に挿入し、吸込口体４０の端子ピンＰ１,Ｐ２をアタッチメント２０の孔Ｈ２,Ｈ３に挿入して、図３に示すように、吸込口体４０をアタッチメント２０に接続すると、係止爪Ｋがアタッチメント２０の係止部に係合してその接続がロックされ、端子ピンＰ１,Ｐ２がアタッチメント２０の雌コネクタに接続されるようになっている。
【００２０】
ブラシ体３０は、図７に示すように、Ｕ字形の枠体３１と、この枠体３１の内側に一体に形成されたＵ字形の側壁３２と、枠体３１の下面３１Ａに植毛された毛ブラシ（ブラシ）３３等とから構成されている。側壁３２の相対向する側壁部３２Ａ,３２Ｂには、風路管２１の軸受凹部２２Ａ,２２Ｂに回動自在に挿入される軸３４Ａ,３４Ｂと、風路管２１のガイド溝２３Ａ,２３Ｂに挿入されるガイド軸３５Ａ,３５Ｂとが設けられている。ガイド軸３５Ａ,３５Ｂは、ガイド溝２３Ａ,２３Ｂに沿って移動可能となっている。
【００２１】
そして、図５に示すように、ブラシ体３０の軸３４Ａ,３４Ｂが風路管２１の軸受凹部２２Ａ,２２Ｂに挿入されて、ブラシ体３０が風路管２１に回動自在に軸支されている。また、ブラシ体３０のガイド軸３５Ａ,３５Ｂが風路管２１のガイド溝２３Ａ,２３Ｂに挿入されており、ブラシ体３０が軸３４Ａ,３４Ｂ回りに回動することによりガイド軸３５Ａ,３５Ｂがガイド溝２３Ａ,２３Ｂに沿って移動するようになっている。
【００２２】
ブラシ体３０の軸３４Ａ,３４Ｂが軸受凹部２２Ａ,２２Ｂに沿って移動することにより、ガイド軸３５Ａ,３５Ｂがガイド溝２３Ａ,２３Ｂの凹部２４ａ,２４ｂに係合すると、ブラシ体３０は軸３４Ａ,３４Ｂ回りの回動が不能となる。すなわちブラシ体３０はロックされることになる。そして、ガイド溝２３Ａ,２３Ｂの凹部２４ａ,２４ｂと、ブラシ体３０の軸３４Ａ,３４Ｂとでブラシ体３０を風路管２１にロックするロック手段が構成される。
［動  作］
次に、上記のように構成されるアタッチメント２０と電気掃除機１０の動作について説明する。
【００２３】
先ず、図１に示すように、集塵ホース１２を掃除機本体１１の接続口１０Ａに接続するとともに手元操作管１３に延長管１４を接続し、この延長管１４の先端にアタッチメント２０を接続し、さらにアタッチメント２０に吸込口体４０を接続する。
【００２４】
そして、手元操作管１３の操作部１３Ａのスイッチ１３ａを操作すると電動送風機１７が駆動される。この電動送風機１７の駆動により集塵室１５が負圧となり、この負圧が集塵ホース１２,延長管１４,アタッチメント２０および吸込口体４０に作用し、吸込口体４０から空気とともに塵埃が吸引されていく。
【００２５】
この吸引された塵埃および空気がアタッチメント２０,延長管１４および集塵ホース１２を介して掃除機本体１１の集塵フィルタ１６に吸引されていく。そして、この集塵フィルタ１６に塵埃が集塵されていく。
【００２６】
床面をブラシで擦りながら清掃する場合には、電動送風機１７の駆動を停止させた後、図３に示すように延長管１４を立てていき、回動管部４１のボタン４２を吸込口体４０の突出部４３より押して係止爪Ｋのロックを解除する。そして、延長管１４を上方に引っ張ることにより、アタッチメント２０から吸込口体４０を取り外す。
【００２７】
この後、電動送風機１７を駆動させるとともに図２に示すようにアタッチメント２０を前後に移動させることによりアタッチメント２０のブラシ体３０で床面を擦っていく。
【００２８】
図８に示すように床面（被清掃面）Ｙに対して延長管１４を所定角度（例えば約４０度）ほど傾ける。この傾きにより、図９に示すように、ブラシ体３０のガイド軸３５Ａ,３５Ｂが風路管２１のガイド溝２３Ａ,２３Ｂの下部に当接する。
【００２９】
そして、図８に示すように延長管１４を傾けた状態でアタッチメント２０を矢印Ｒ１で示す右方向へ移動させると、風路管２１の軸受凹部２２Ａ,２２Ｂが小判形状になっていることにより、図１０に示すようにブラシ体３０は風路管２１に対して左方向へ相対的に移動し、図１１に示すようにブラシ体３０のガイド軸３５Ａ,３５Ｂがガイド溝２３Ａ,２３Ｂの凹部２４ａ,２４ｂに係合する。この係合により、ブラシ体３０は軸３４Ａ,３４Ｂ回りに回動できなくなる。すなわち、ブラシ体３０はロックされることになる。
【００３０】
このため、毛ブラシ３３を床面Ｙに強く押し当ててアタッチメント２０を右方向（Ｒ１方向）へ移動させた際に、ブラシ体３０の右端の毛ブラシ３３Ａに矢印Ｆ１方向への強い力が加わっても、ブラシ体３０は軸３４Ａ,３４Ｂを中心にして時計回り（図１０において）に回動しない。このため、ブラシ体３０の左端（前側）の毛ブラシ３３Ｂの先端部３３Ｂａが床面Ｙから浮き上がってしまうことがなく、毛ブラシ３３全体を床面Ｙに当接させた状態で擦り付けることができる。
【００３１】
また、延長管１４を図１０に示すように傾けた状態で毛ブラシ３３を床面Ｙに強く押し当ててアタッチメント２０を前方（図１０において左方向）へ移動させると、風路管２１の軸受凹部２２Ａ,２２Ｂが小判形状になっていることにより、図８に示すようにブラシ体３０は風路管２１に対して右方向へ相対的に移動し、ブラシ体３０のロックは解除される。そして、アタッチメント２０の前方への移動により、ブラシ体３０の左端の毛ブラシ３３Ｂに矢印Ｆ２方向への強い力が加わっても、ガイド軸３５Ａ,３５Ｂがガイド溝２３Ａ,２３Ｂの下部に当接していることにより、ブラシ体３０は軸３４Ａ,３４Ｂを中心にして反時計回り（図８において）に回動しない。
【００３２】
このため、ブラシ体３０の右端（後部側）の毛ブラシ３３Ａの先端部３３Ａａが床面Ｙから浮き上がってしまうことがなく、毛ブラシ３３全体を床面Ｙに当接させた状態で擦り付けることができる。
【００３３】
このように、床面Ｙにブラシ体３０の毛ブラシ３３を強く当ててアタッチメント２０を前後に移動させても、ブラシ体３０の前後側の毛ブラシ３３Ａ,３３Ｂの先端部３３Ａａ,３３Ｂａが床面Ｙから浮き上がってしまうことがなく、毛ブラシ３３全体を床面Ｙに押し当てて擦り付けることができる。
【００３４】
図１２に示すアタッチメント１２０は、給電用の端子ピンＰ１,Ｐ２が入る孔Ｈ２,Ｈ３にゴミが入り込むのを防止する例えばゴム製のシール部材１２７を貼ったものである。
【００３５】
このシール部材１２７には、底壁部１２６の孔Ｈ２,Ｈ３に対向する位置にスリットＳ１,Ｓ２が設けられており、吸込口体４０の端子ピンＰ１,Ｐ２がスリットＳ１,Ｓ２を介してその孔Ｈ２,Ｈ３に挿入できるようになっている。他の構造はアタッチメント２０と同じなのでその説明は省略する。なお、シール部材１２７と底壁部１２６の孔Ｈ２,Ｈ３との間に所定の隙間を設けると、端子ピンＰ１,Ｐ２の挿入の際にシール部材１２７がその孔Ｈ２,Ｈ３と端子ピンＰ１,Ｐ２とで挟み込んでしまうことを防止することができる。
【図面の簡単な説明】
【００３６】
【図１】この発明に係る電機掃除機の外観を示した斜視図である。
【図２】延長管にアタッチメントを接続したものを示した斜視図である。
【図３】接続管に接続されたアタッチメントに吸込口体を接続したものを示した斜視図である。
【図４】図３のアタッチメントの斜視図である。
【図５】図４に示しアタッチメントの一部を切欠した斜視図である。
【図６】ブラシ体を省略したアタッチメントの構成を示した斜視図である。
【図７】ブラシ体の構成を示した斜視図である。
【図８】アタッチメンチの使用状態を示した側面図である。
【図９】風路管に対してブラシ体が傾動した状態を示した説明図である。
【図１０】ブラシ体がロックされた状態を示したアタッチメントの側面図である。
【図１１】ブラシ体がロックされた状態を示した説明図である。
【図１２】他の例のアタッチメントを示した斜視図である。
【図１３】従来のアタッチメントを示した説明図である。
【符号の説明】
【００３７】
１４          延長管
２０          アタッチメント
２１          風路管
３０          ブラシ体
３３          毛ブラシ（ブラシ）
Ｙ          被清掃面
【図１】
2005329009.tif 000003
【図２】
2005329009.tif 000004
【図３】
2005329009.tif 000005
【図４】
2005329009.tif 000006
【図５】
2005329009.tif 000007
【図６】
2005329009.tif 000008
【図７】
2005329009.tif 000009
【図８】
2005329009.tif 000010
【図９】
2005329009.tif 000011
【図１０】
2005329009.tif 000012
【図１１】
2005329009.tif 000013
【図１２】
2005329009.tif 000014
【図１３】
2005329009.tif 000015